(57)【要約】      （修正有）【課題】トマトのように主茎が長く成長する作物を吊紐で吊下ろし仕立するための用具において、吊紐の余長の繰出の操作を容易にし、製造コストをの低減を図った仕立具を提供する。【解決手段】横支柱に係止される取付部２と、吊紐の余長部分が巻回される吊紐巻付部３とを備えて、吊紐巻付部３が吊紐を固定して作物の主茎との間で吊紐にテンションを掛ける吊紐固定部を兼用している。吊紐巻付部３は、上部巻付棒３１と上部巻付棒３１よりも下方に配置された下部巻付棒３２とで構成されている。吊紐巻付部３の上部巻付棒３１は、基端部から先端部に向けて上方に傾斜されている。吊紐巻付部３の下部巻付棒３２は、先端部に径が大きく形成されたストッパ３２ｂが設けられている。【選択図】図１
0003163597.tif 000002
【実用新案登録請求の範囲】
【請求項１】
横支柱に係止される取付部と、吊紐の余長部分が巻回される吊紐巻付部と、吊紐を固定して作物の主茎との間で吊紐にテンションを掛ける吊紐固定部とを備えてなる作物の吊下ろし仕立具において、吊紐巻付部は上部巻付棒と上部巻付棒よりも下方に配置された下部巻付棒とで吊紐固定部を兼用していることを特徴とする作物の吊下ろし仕立具。
【請求項２】
請求項１の作物の吊下ろし仕立具において、吊紐巻付部の上部巻付棒は基端部から先端部に向けて上方に傾斜されていることを特徴とする作物の吊下ろし仕立具。
【請求項３】
請求項１または２の作物の吊下ろし仕立具において、吊紐巻付部の下部巻付棒は先端部に径が大きく形成されたストッパが設けられていることを特徴とする作物の吊下ろし仕立具。
【考案の詳細な説明】
【技術分野】
【０００１】
本考案は、トマトのように主茎が長く成長する作物を吊紐で吊下ろし仕立するための用具に係る技術分野に属する。
【背景技術】
【０００２】
最近、作物の吊下ろし仕立具としては、作地の一定高さに架設したパイプ等の横支柱に着脱可能なフック形に形成されてなるものが提供されている。この作物の吊下ろし仕立具は、作物の主茎の成長を誘引する吊紐を支持するもので、吊紐の吊長さを簡単に調整する機能を備えている。
【０００３】
従来、作物の吊下ろし仕立具としては、例えば、特許文献１に記載のものが知られている。
【０００４】
特許文献１には、横支柱に係止される取付部と、吊紐の余長部分が巻回される吊紐巻付部と、吊紐を固定して作物の主茎との間で吊紐にテンションを掛ける吊紐固定部とを備えてなる作物の吊下ろし仕立具が記載されている。
【０００５】
特許文献１に係る作物の吊下ろし仕立具は、作物の生長にともなって、吊紐を吊紐固定部から外して吊紐巻付部から吊紐の余長を繰出した後、繰出した吊紐を吊紐固定部に固定することで、横支柱に対する吊紐の煩雑な縛付け作業を解消するものである。
【先行技術文献】
【特許文献】
【０００６】
【特許文献１】特開平５−９１８２２号公報
【考案の概要】
【考案が解決しようとする課題】
【０００７】
特許文献１に係る作物の吊下ろし仕立具では、吊紐巻付部，吊紐固定部が別個に設けられて他部が邪魔になるため、吊紐の余長の繰出の操作が面倒であるという問題点がある。また、吊紐巻付部，吊紐固定部が別個に設けられて構造が複雑であるため、製造コストが高くなるという問題点がある。
【０００８】
本考案は、このような問題点を考慮してなされたもので、吊紐の余長の繰出の操作が容易で製造コストの低い作物の吊下ろし仕立具を提供することを課題とする。
【課題を解決するための手段】
【０００９】
前述の課題を解決するため、本考案に係る作物の吊下ろし仕立具は、実用新案登録請求の範囲の各請求項に記載の手段を採用する。
【００１０】
即ち、請求項１では、横支柱に係止される取付部と、吊紐の余長部分が巻回される吊紐巻付部と、吊紐を固定して作物の主茎との間で吊紐にテンションを掛ける吊紐固定部とを備えてなる作物の吊下ろし仕立具において、吊紐巻付部は上部巻付棒と上部巻付棒よりも下方に配置された下部巻付棒とで吊紐固定部を兼用していることを特徴とする。
【００１１】
この手段では、吊紐巻付部が上部巻付棒，下部巻付棒で構成されて吊紐固定部を兼用することで、操作の際に他部が邪魔になったり構造が複雑化するのを避けることができる。
【００１２】
また、請求項２では、請求項１の作物の吊下ろし仕立具において、吊紐巻付部の上部巻付棒は基端部から先端部に向けて上方に傾斜されていることを特徴とする。
【００１３】
この手段では、吊紐巻付部に巻回された吊紐の余長が上部巻付棒の傾斜に沿って基端部に自然に集合される。
【００１４】
また、請求項３では、請求項１または２の作物の吊下ろし仕立具において、吊紐巻付部の下部巻付棒は先端部に径が大きく形成されたストッパが設けられていることを特徴とする。
【００１５】
この手段では、吊紐巻付部に巻回された吊紐の余長がストッパによって離脱を防止される。
【考案の効果】
【００１６】
本考案に係る作物の吊下ろし仕立具は、吊紐巻付部が上部巻付棒，下部巻付棒で構成されて吊紐固定部を兼用することで、操作の際に他部が邪魔になったり構造が複雑化するのを避けることができるため、吊紐の余長の繰出の操作が容易で製造コストが低くなる効果がある。
【００１７】
さらに、請求項２として、吊紐巻付部に巻回された吊紐の余長が上部巻付棒の傾斜に沿って基端部に自然に集合されるため、吊紐巻付部からの吊紐の余長の無用の離脱が防止される効果がある。
【００１８】
さらに、請求項３として、吊紐巻付部に巻回された吊紐の余長がストッパによって離脱を防止されるため、吊紐巻付部からの吊紐の余長の無用の離脱がより確実に防止される効果がある。
【図面の簡単な説明】
【００１９】
【図１】本考案に係る作物の吊下ろし仕立具を実施するための形態の斜視図である。
【図２】図１の使用状態の正面図である。
【図３】図１の使用状態の側面図である。
【図４】図１を使用した仕立例を示す正面図である。
【考案を実施するための形態】
【００２０】
以下、本考案に係る作物の吊下ろし仕立具を実施するための形態を図面に基づいて説明する。
【００２１】
この形態では、図４に示すように、トマトからなる作物Ｔの吊下ろし仕立に使用されるものを示してある。
【００２２】
この形態は、図１に示すように、板形の本体部１に取付部２，吊紐巻付部３が設けられている。
【００２３】
本体部１は、金属材，合成樹脂材の細幅の弾性を有した板材からなる。
【００２４】
取付部２は、本体部１の上端部を円弧形に湾曲させて、作地Ｅの一定高さに架設されたパイプ等の横支柱Ｐに嵌合引下げするようにして係止させることができるように形成されている。この取付部２は、半円形以上の円周をもつ円弧形で横支柱Ｐの外径よりもわずかに小さな内径を有して形成され、横支柱Ｐに弾圧力をもって係止されるようになっている。なお、取付部２を横支柱Ｐから取外すには、本体部１を掴んで弾圧に抗して持上げるようにすればよい。
【００２５】
吊紐巻付部３は、本体部１の側面に突出するように設けられた丸棒形の上部巻付棒３１，下部巻付棒３２からなるもので、上部巻付棒３１，下部巻付棒３２の間に吊紐Ｒの余長が巻回されるようになっている。上部巻付棒３１，下部巻付棒３２は、本体部１の側面に左右１対設けられている。上部巻付棒３１は、本体部１の上部（取付部２よりも下方）に配置され、基端部３１ａから先端部３１ｂに向けて上方に傾斜されている。下部巻付棒３２は、本体部１の下部（上部巻付棒３１よりも下方で吊紐固定部４よりも上方）に配置され、基端部３２ａから先端部３２ｂに向けて横方向に水平延び、先端部３２ｂが大径のストッパに形成されている。
【００２６】
この吊紐巻付部３は、下部巻付棒３２に吊紐Ｒを数回絡げることで、吊紐Ｒを固定して作物Ｔの主茎との間で吊紐Ｒにテンションを掛ける吊紐固定部を兼用する。
【００２７】
この形態によると、吊紐固定部が吊紐巻付部３に兼用されるため、操作の際に他部が邪魔になったり構造が複雑化するのを避けることができるため、吊紐Ｒの余長の繰出の操作が容易で製造コストが低くなる。
【００２８】
この形態の使用では、取付部２が横支柱Ｐに係止された状態で、吊紐巻付部３に吊紐Ｒの余長を巻付けたり吊紐巻付部３から吊紐Ｒの余長を繰出したりする際には、片手で本体部１の下端部を掴んで全体の姿勢を安定化させことができる。従って、紐巻付部３に吊紐Ｒの余長を巻付けたり吊紐巻付部３から吊紐Ｒの余長を繰出したりする操作がかなり容易になる。
【００２９】
そして、吊紐巻付部３に巻付けられた吊紐Ｒの余長は、上部巻付棒３１の傾斜に沿って基端部３１ａに自然に集合されるため、吊紐巻付部３からの無用の離脱が防止される。また、下部巻付棒３２においても、ストッパとなった先端部３２ｂが吊紐Ｒの余長の離脱を防止する。
【００３０】
さらに、この形態によると、取付部２が面状に横支柱Ｐに係止されているため、作物Ｔの生長で吊紐Ｒに係るテンションが増幅されても、横支柱Ｐに対して全体が傾倒し難くなる。従って、取付部２の弾圧と相まって、横支柱Ｐからの脱落が確実に防止される。
【００３１】
この結果、図４に示すように、吊紐巻付部３から吊紐Ｒの余長を繰出し、横支柱Ｐへの取付部２の係止位置を変更して、トマトからなる作物Ｔの生長を横方向へ匍匐させる吊下ろし仕立に有効性を発揮する。
【００３２】
以上、図示した形態の外に、作物Ｔの生長を横方向へ匍匐させる以外の吊下ろし仕立に使用することも可能である。
【００３３】
さらに、吊紐Ｒを単なる縦支柱とする仕立に使用することも可能である。
【産業上の利用可能性】
【００３４】
本考案に係る作物の吊下ろし仕立具は、トマト以外の広範な作物における吊紐での吊下ろし仕立に適用することが可能である。
【符号の説明】
【００３５】
１            本体部
２            取付部
３            吊紐巻付部
３１          上部巻付棒
３２          下部巻付棒
Ｐ            横支柱
Ｒ            吊紐
Ｔ            作物
【図１】
0003163597.tif 000003
【図２】
0003163597.tif 000004
【図３】
0003163597.tif 000005
【図４】
0003163597.tif 000006